Podtech/llm-jp-corpus-v4-ja_patent huggingface dataset:
(57)【要約】      （修正有）【課題】長時間着用しても、耳への負担を軽減し、耳の痛みを感じにくいマスクを提供する。【解決手段】マスク１０は、抗菌処理を施した布からなり、着用者の口及び鼻を覆うためのマスク本体部１１と、マスク本体部１１の両側に設けられ、上側紐部１２ａと下側紐部１２ｂとからなる固定部１２とを具備し、着用時には、一方の上側紐部１２ａと下側紐部１２ｂとをボタン１３を通した状態で締結し、他方の上側紐部１２ａと下側紐部１２ｂとを締結してボタン１３に引っ掛けて着用者の後頭部において係止する。【選択図】図２
0003227863.tif 000002
【実用新案登録請求の範囲】
【請求項１】
抗菌処理を施した布からなり、着用者の口及び鼻を覆うためのマスク本体部と、前記マスク本体部の両側に設けられ、上側紐部と下側紐部とからなる固定部とを具備し、着用時には、一方の上側紐部と下側紐部とをボタンを通した状態で締結し、他方の上側紐部と下側紐部とを締結して前記ボタンに引っ掛けて着用者の後頭部において係止することを特徴とするマスク。
【請求項２】
請求項１記載のマスクであって、
前記上側紐部と前記下側紐部とは、一本の紐状部材からなり、その中央部付近を前記マスク本体部端部に係止されていることを特徴とするマスク。
【請求項３】
請求項１又は２記載のマスクであって、
抗菌処理を施した前記布が、抗菌処理を施したガーゼからなることを特徴とするマスク。
【考案の詳細な説明】
【技術分野】
【０００１】
本考案は、感染症の予防等のために着用者の口及び鼻等を覆うマスクに関する。
【背景技術】
【０００２】
従来から、例えばインフルエンザ等の感染症の予防等のために着用者の口及び鼻等を覆うマスクが多く用いられている。
【０００３】
このようなマスクは、一般的に不織布やガーゼ等から構成され、着用者の口及び鼻等を覆うマスク本体部と、このマスク本体部の両側に設けられ、ゴム等の伸縮性を有する部材からなる耳かけ部とから構成されている。
【先行技術文献】
【特許文献】
【０００４】
【特許文献１】特開２０１９−１４３２８９号公報
【考案の概要】
【考案が解決しようとする課題】
【０００５】
上記した従来のマスクでは、マスク本体部の両側に設けられた耳かけ部を耳にかけて着用するようになっている。このため、長時間マスクを着用すると、耳に負担がかかり、痛みを感じる場合がある、という課題があった。
【０００６】
本考案は、長時間着用しても、耳への負担を軽減し、耳の痛みを感じにくいマスクを提供することを目的とする。
【課題を解決するための手段】
【０００７】
本考案のマスクは、抗菌処理を施した布からなり、着用者の口及び鼻を覆うためのマスク本体部と、前記マスク本体部の両側に設けられ、上側紐部と下側紐部とからなる固定部とを具備し、着用時には、一方の上側紐部と下側紐部とをボタンを通した状態で締結し、他方の上側紐部と下側紐部とを締結して前記ボタンに引っ掛けて着用者の後頭部において係止することを特徴とする。
【考案の効果】
【０００８】
本考案によれば、長時間着用しても、耳への負担を軽減し、耳の痛みを感じにくいマスクを提供することができる。
【図面の簡単な説明】
【０００９】
【図１】本考案の実施形態に係るマスクの構成を示す図。
【図２】本考案の実施形態に係るマスクの着用準備状態を示す図。
【図３】本考案の実施形態に係るマスクの着用状態を模式的に示す図。
【図４】本考案の実施形態に係るマスクの着用状態を模式的に示す図。
【考案を実施するための形態】
【００１０】
以下、本考案のマスクの実施形態について、図面を参照して説明する。
【００１１】
図１は、本考案の本実施形態に係るマスクの構成を示す図である。図１に示すように、マスク１０は、抗菌処理を施した布からなり、着用者の口及び鼻を覆うためのマスク本体部１１と、マスク本体部１１の両側に設けられ、上側紐部１２ａと下側紐部１２ｂとからなる固定部１２とを具備している。夫々の上側紐部１２ａと下側紐部１２ｂは、１本の紐状部材、本実施形態では、紐状のゴムから構成されている。
【００１２】
上記のマスク本体部１１を構成する抗菌処理を施した布としては、例えば、柿渋タンニン液と銀イオン等によって抗菌処理を施したガーゼ等を使用することができる。また、マスク本体部１１は、例えば１枚の布を４つ折り等して所定サイズにし、その両側にミシンで縫い付けて形成した紐状部材を通すための紐状部材挿通部１１ａを設けること等によって形成することができる、しかし、他の構造のものや及び方法によって形成したものであってもよい。
【００１３】
着用時には、一方（図２中左側）の上側紐部１２ａと下側紐部１２ｂとをボタン１３を通した状態で締結し、他方（図２中右側）の上側紐部１２ａと下側紐部１２ｂとは、そのままの状態で締結する。ボタン１３は、他方の上側紐部１２ａと下側紐部１２ｂとを引っ掛けて係止するためのものであり、洋服に使用する洋服用ボタンのようなものを使用することができるが、洋服用ボタンに限らず、締結した上側紐部１２ａと下側紐部１２ｂと引っ掛けて係止できるものであれば、どのようなものでもよい。
【００１４】
上記のように上側紐部１２ａと下側紐部１２ｂとを締結した状態で、例えば図３に示すように、着用者の後頭部において両側の紐を引っ掛けて係止し、マスク本体部１１を着用者の顔の部分に固定する。したがって、上側紐部１２ａと下側紐部１２ｂとを締結する際には、着用者の頭部のサイズに合わせてその長さを調整する。
【００１５】
上記のように、本実施形態のマスク１０は、従来のマスクのように、耳かけ部を着用者耳にかけてマスクを固定するのではなく、着用者の後頭部にて両側の固定部１２（上側紐部１２ａ及び下側紐部１２ｂ）を係止してマスクを固定する。したがって。長時間着用しても、耳への負担を軽減し、耳の痛みを感じにくい。また、マスク本体部１１を、抗菌処理を施した布から構成しているので、洗濯して繰り返し使用することができる。
【００１６】
なお、マスク本体部１１大きさや、着用者の頭部の大きさや耳の位置によっては、図３に示すように上側紐部１２ａを耳の上側に位置させると耳に当たって痛みを感じる場合もある。このよう場合は、図４に示すように上側紐部１２ａを耳の下側に位置させるようにして着用することもできる。また、上側紐部１２ａと下側紐部１２ｂの一部を捩り合わせて一体化して耳の下側に位置させるようにして着用することもできる。
【００１７】
以上、本考案のいくつかの実施形態を説明したが、これらの実施形態は、例として提示したものであり、考案の範囲を限定することは意図していない。これら新規な実施形態は、その他の様々な形態で実施されることが可能であり、考案の要旨を逸脱しない範囲で、種々の省略、置き換え、変更を行うことができる。これら実施形態やその変形は、考案の範囲や要旨に含まれるとともに、実用新案登録請求の範囲に記載された発明とその均等の範囲に含まれる。
【符号の説明】
【００１８】
１０……マスク、１１……マスク本体部、１１ａ……紐状部材挿通部、１２……固定部、１２ａ……上側紐部、１２ｂ……下側紐部、１３……ボタン。
【図１】
0003227863.tif 000003
【図２】
0003227863.tif 000004
【図３】
0003227863.tif 000005
【図４】
0003227863.tif 000006
(57)【要約】      （修正有）【課題】丸見えの状態で取付けしても目立つことがなく目障りにならない亜鉛メッキ鋼板製ダクトの光る色彩を解消した空調換気用黒色鋼板製ダクトを提供する。【解決手段】空調換気用ダクトとダクト間に取付ける附属器具および空調用ダクトの配管取付用の取付器具を外表が黒色の塗装不要の黒色鋼板にて形成する。【選択図】図１
0003227808.tif 000002
【実用新案登録請求の範囲】
【請求項１】
空調換気用ダクトと附属器具および取付器具を外表を黒色とする黒色鋼板にて形成したことを特徴とする空調換気用黒色鋼板製ダクト。
【請求項２】
空調換気用ダクトの一種を構成するとも板フランジダクトのとも板フランジ間の四隅の間隙を黒色鋼板製のＬ形コーナー部材の渡し嵌めにて埋める請求項１に記載の空調換気用黒色鋼板製ダクト。
【請求項３】
とも板フランジ間に黒色パッキンを挟んで突き合わせ接続し、突き合わせ渕を黒色コーキング剤にてコーキングして気密にする請求項２に記載の空調換気用黒色鋼板製ダクト。
【考案の詳細な説明】
【技術分野】
【０００１】
この考案は空調換気用黒色鋼板製ダクトに関するものである。
【背景技術】
【０００２】
従来、空調換気用ダクトは登録実用新案第３２２０２２５号公報に記載されているように、亜鉛メッキ鋼板にて形成してビル，店舗，家屋の天井裏などに配管取付けしてきている。
【先行技術文献】
【特許文献】
【０００３】
【特許文献１】登録実用新案第３２２０２２５号公報
【考案の概要】
【考案が解決しようとする課題】
【０００４】
しかしながら、時代とともにビル，店舗，家屋の造りも変化して、近年は天井のない高い屋根裏に空調換気用のダクトを配管取り付けする傾向があって、亜鉛メッキ鋼板の強よい光沢の乳白色が目障りであるという課題が生じている。
【０００５】
そこでダクトの外表を黒色塗料の吹付などにて全面塗装することを試みているが、塗装は手間がかかるだけでなしに塗装ムラや剥がれ落ちするという課題があり、しかもクロム，有機溶剤などが環境問題を引き起こしているという課題がある。
【課題を解決するための手段】
【０００６】
本考案は、空調換気用ダクトを構成するとも板フランジダクト，フランジ枠嵌付けダクト，曲管ダクト，スパイラルダクトと附属器具である吹出口・吸込口器具，ダンパーなどとおよび取付器具の一切をあらかじめ色落ちしないように黒色塗料を焼付けまたはメッキしてなる黒色鋼板を用いて形成してすべての外表を黒色にして天井のないビル，店舗，家屋の屋根裏などに表出配管取付けしてもダクトが目立たない，目障りにならないようにして前記した各課題を解決するようにしたのである。
【考案の効果】
【０００７】
本考案は空調換気用ダクトを色落ちしないように加工してなる黒色鋼板にて形成するので、天井のない屋根裏などに丸見えの状態で配管取付けしてもダクトは目立つことがなく、目障りにならないという効果を生ずる。
【０００８】
空調換気用ダクトの吹付けなどによる塗装がなくなるので、配管取付けの能率を向上するという効果を生ずる。
【０００９】
塗装ムラ，塗料の剥がれ落ちがなくなるので、ダクトは外表の点検なしに長期に亘り耐用するという効果を生じ、環境を良好にするという効果を生ずる。
【図面の簡単な説明】
【００１０】
【図１】とも板フランジダクトの斜視図
【図２】（ａ）はＬ形コーナー部材の斜視図、（ｂ）は渡し嵌め状態の斜視図
【図３】とも板フランジダクトの接続を示す斜視図
【図４】屋根裏に吊り配管した状態を示す正面図
【考案を実施するための形態】
【００１１】
本考案の空調換気用ダクトは、とも板フランジダクト，フランジ枠嵌付けダクト，曲管ダクト，スパイラルダクトと附属器具として吹出口・吸込口器具，ダンパー,その他と取付器具の一切を含み、すべてを色落ちしない黒色鋼板にて形成し、このダクトを屋根裏に丸見えの状態で取付けしても外表の黒色によってダクトおよび取付器具は目立たず、目障りになにないようになる。
【実施例１】
【００１２】
以下空調換気用ダクトの一種であるとも板フランジダクトについて実施例を説明する。
鋼板の両面全面を黒色塗料の焼付け，メッキにより色落ちしないように加工してなる黒色鋼板を用いて四角筒形のダクト本体１とおよび開口する両端を折り立ててとも板フランジ１ａを形成して、とも板フランジダクト２とする。
【００１３】
とも板フランジ１ａ間の四隅の間隙はＬ形コーナー部材１ｂの渡し嵌めにて埋めるのである。Ｌ形コーナー部材１ｂも黒色鋼板にてなるのである。とも板フランジダクト２間はとも板フランジ１ａを黒色パッキンを挟んで突き合わせ、黒色ネジまたはボルトＢとナットＮを用いて接続し、突き合わせ渕などを黒色コーキング剤にてコーキングして気密にするのである。
【００１４】
このとも板フランジダクト２は屋根裏Ｙに黒色鋼板製の取付器具Тを用いて吊り配管して取付けするのである。
【００１５】
配管取付けしたとも板フランジダクト２列には図示してない吹出口・吸込口器具，ダンパーなどが必要個所に気密裡に挟み取付けされる。
【００１６】
このようにしてとも板フランジダクト２を屋根裏Ｙなどに丸見えの状態で配管してもとも板フランジダクト２は黒色鋼板にてなるため外表は黒色を呈して目立たず、目障りにならないものとなる。
【産業上の利用可能性】
【００１７】
本考案は空調換気用ダクトを黒色とすることで、どこに配管しても目立たず、目障りにならないことで広く利用されるものである。
【符号の説明】
【００１８】
１はダクト本体
１ａはとも板フランジ
１ｂはＬ形コーナー部材
２はとも板フランジダクト
Ｙは屋根裏
Тは取付器具
Ｂはネジまたはボルト
Ｎはナット
【図１】
0003227808.tif 000003
【図２】
0003227808.tif 000004
【図３】
0003227808.tif 000005
【図４】
0003227808.tif 000006
【手続補正書】
【提出日】令和2年6月19日(2020.6.19)
【手続補正１】
【補正対象書類名】実用新案登録請求の範囲
【補正対象項目名】全文
【補正方法】変更
【補正の内容】
【実用新案登録請求の範囲】
【請求項１】
空調換気用ダクトと該ダクト間に取付ける附属器具および空調用ダクトの配管取付用の取付器具を外表を黒色とする黒色鋼板にて形成したことを特徴とする空調換気用黒色鋼板製ダクト。
【請求項２】
空調換気用ダクトの一種を構成するとも板フランジダクトのとも板フランジ間の四隅の間隙を黒色鋼板製のＬ形コーナー部材の渡し嵌めにて埋める請求項１に記載の空調換気用黒色鋼板製ダクト。
【請求項３】
とも板フランジ間に黒色パッキンを挟んで突き合わせ接続し、突き合わせ渕を黒色コーキング剤にてコーキングして気密にする請求項２に記載の空調換気用黒色鋼板製ダクト。
(57)【要約】      （修正有）【課題】紙の上で滑りにくく、指を離してもズレない分度器を提供する。【解決手段】分度器１の裏面２にクルーガンで合成樹脂を塗り、滑りにくくした。【選択図】図１
0003227804.tif 000002
【実用新案登録請求の範囲】
【請求項１】
分度器の「０度」、「９０度」、「１８０度」の三点のメモリの裏にクルーガンで合成樹脂を塗ったことを特徴とする分度器。
【考案の詳細な説明】
【技術分野】
【０００１】
本発明は、分度器を使用するにあたり、角度のずれを生じにくくする目的であり、分度器との接合部に、クルーガンで合成樹脂を付けた分度器に関するものである。
【背景技術】
【０００２】
算数の授業で分度器を使った図形を描くときに、手で押さえていても紙の上なので滑ってしまい、正確な図形が書けないことがあり
ました。テストのときも分度器がズレて、かなり時間をとってしまいました。なので、このようなことを減らすために「滑りにくい分度器」
を作りました。また、分度器自体がプラスチックで作られているため安価で軽く、学校に持っていくのにもとても便利です。
普通の分度器でも良いのですが、ノートの上では滑りやすく上手く計れないことがあるので、「分度器が滑りにくく出来たらいいのにな」と思い、作成に至りました。
【考案の概要】
【考案が解決しようとする課題】
【０００３】
従来の分度器には、以下のような課題があった。
（イ）紙の上で滑りやすく、正確に図ることができなかった。
（ロ）指を離すとズレが生じた。
【課題を解決するための手段】
【０００４】
半円の分度器の「０度」、「９０度」、「１８０度」のメモリの裏にクルーガンで合成樹脂を約直径１ｃｍの円形で塗り、紙の上で滑りにくくした事を特徴とする滑りにくい分度器。
【考案の効果】
【０００５】
（イ）紙の上でも滑りにくく、正確に計ることが出来るようになった。
（ロ）指を離しても、ズレなくなった。
【図面の簡単な説明】
【０００６】
【図１】本発明の裏面である。
【図２】定規の裏面である。
【考案を実施するための形態】
【０００７】
（イ）従来の分度器と同様である。分度器の中心を抑えることによって、より滑りにくくなる。
本発明は以上のような構成である。
【産業上の利用可能性】
【０００８】
本発明を学生の皆さんに、より効率の良い作業になるように使ってもらいたい。
【符号の説明】
【０００９】
図1  1本発明の裏面  2合成樹脂      図２  1定規本体  2合成樹脂
【図１】
0003227804.tif 000003
【図２】
0003227804.tif 000004
(57)【要約】【課題】  ごわごわ感がなく、普通にブラッシングすれば自ずと歯間にも毛先が入り込み、特に再奥歯裏側の隅々まで毛先が行き届き、毎朝起きた時に口内の不快なネバネバ感や口臭がなくなり、毛質のおかげで歯の表面層を覆うエナメル質を傷つけることもなく、最終的に廃棄処分する時も、環境に負荷をかけない、そんな歯ブラシを提供する。【手段】  ブラシ部の先端域に、ブラシ毛の量・丈共に、残余の後半域よりも大きい先端域毛束群を設け、そこから連続して徐々に丈低に・且つ幅狭に帯状に部ブラシ部後端まで伸びる後半域毛束群が設けてあることを特徴とするシュロット歯ブラシ。【選択図】図１
0003227810.tif 000002
【実用新案登録請求の範囲】
【請求項１】
歯ブラシのヘッド面に植設されたブラシ毛群において、
天然棕櫚の樹皮毛で成り、
先端域の毛束群が、ボリュウム及び丈共に残余域よりも断然大きく形成されて先端域毛束群を成し、
先端域毛束群の後端から連続する残余の手前側域は、徐々に丈低に、且つ幅狭に、細帯状の毛束群が形成され、全体として毛先並面が緩やかな斜降面細帯状の毛束群に形成されて、後半域毛束群を成し、
以上を特徴とするシュロット歯ブラシ。
【請求項２】
後半域毛束群が、先端域毛束群の後端から同一幅で連続しつつ、毛先並面が緩やかな斜降面状に形成されていることを特徴とする、請求項１に記載のシュロット歯ブラシ。
【考案の詳細な説明】
【技術分野】
【０００１】  本考案は棕櫚の樹皮毛を利用した歯ブラシに関するものである。
【背景技術】
【０００２】  柄とその先端のヘッドから成る歯ブラシは、従来は、ヘッド面の片側全面にプラスチック樹脂製ブラシ毛を埋め込んであり、ブラシ毛先端の高さは均等に揃えてあるものや、段差状に形成されているもの等があった（特許文献１参照）。
【先行技術文献】
【特許文献】
【０００３】
【特許文献１】特開２０１９−２０８９７３号公報
【考案の概要】
【考案が解決しようとする課題】
【０００４】  従来、歯ブラシヘッドの植毛面において、横断状あるいは外周等の部分域の毛束群を残余域よりも高く形成されていたり、毛先群にテーパーをつけたり、様々な工夫がされてきたが、第一にどれを使ってもブラシ毛のごわごわ感があり、第二にどんなに丁寧に磨いても朝起きしなに口の中にネバネバ感と口臭があって、不快であった。歯間の汚れが気になれば追加的に歯間ブラシで浄化できるが、特に再奥歯の裏側の汚れは、いくら丁寧にブラッシングしても十分な掻き出しができなかった。歯の裏側にブラシが届きやすいように、柄を湾曲させたものもあるが、あくまでもブラシ部の主機能に対する補完的役割にとどまる。
ごわごわ感がなく、普通にブラッシングすれば自ずと歯間にも毛先が入り込み、特に再奥歯裏側の隅々まで毛先が行き届くような、そんな歯ブラシが必要であった。
【課題を解決するための手段】
【０００５】  歯ブラシのヘッド面に植設されたブラシ毛群において、
天然棕櫚の樹皮毛で成り、
先端域の毛束群が、ボリュウム及び丈共に残余域よりも断然大きい先端域毛束群を成し、
先端域毛束群の後端から連続する残余の手前側域は、徐々に丈低に・且つ幅狭に、細帯状の毛束群が形成され、全体として毛先並面が緩やかな斜降面細帯状の後半域毛束群を成す。
以上を特徴とするシュロット歯ブラシである。
【考案の効果】
【０００６】  ブラシ毛に棕櫚の樹皮毛を用いるので、植毛の一本一本が細くしなやかで、歯列の表面からも裏裏面からも毛先が歯間にも入り込み易く、歯に当たる毛波の感触も大変柔らかく、余程のことでなければ歯間ブラシも無用である。
ブラシ部の先端域毛束群が残余域よりも毛束群が量も丈も大きいので、最奥歯の裏側根元まで毛先が行き届いて、汚れをほぼ完璧に掻き出すことができる。
先端域毛束群から手前側へ連続する後半域の毛先並が、全体として緩やかな斜降面状を成して、歯列の前面＆裏面に添え当てられて磨き動作が行われる時、柄の自然な角度において、毛先並が歯列面に常により広く当接する形で歯磨き動作が進行する。
こうしたことの結果として、毎朝起きた時の口内のあの不快なネバネバ感がなくなり、口臭までもなくなった。柔らか天然素材の毛質のおかげで、歯の表面層を覆うエナメル質を傷つけることもない。
使用後にブレスチェッカーで計ってみたところ、
朝起きて洗顔前の口臭レベルは‥０
昼食直後は‥‥‥‥‥‥‥レベル０
夕食後の歯磨き前‥‥‥‥レベル２  であった。
又、毛束群がプラスチック樹脂でなく、天然樹脂材なので、最終的に廃棄処分する時も、世界的な低炭素社会に向けた取り組みにも貢献できる。
【図面の簡単な説明】
【０００７】
【図１】  本考案の斜視図
【図２】  図１に示された本考案の平面図
【考案を実施するための形態】
【０００８】  以下、実施の形態を説明する。
本考案を実際に使用する時は、従来の歯ブラシと同じ要領で磨き動作をすればよく、特別に異なる使い方は必要ない。就寝前の歯磨きに際しては、特に先端域毛束群（１）を使って、最奥歯域に当てがって丁寧に磨けば、最奥歯の裏側根元まで毛先が届き、当てがわれた歯全体がたっぷり覆われ、除去しづらい汚れやカスが余すことなく掻き出される。歯列上下の表裏両側には、後半域毛束群（２）を当てがうと、毛先並面が手元側に向かって緩やかに下る降斜面が、意識せずとも自ずと歯列面にぴったり添い当たって磨かれると共に、裏側には先端域毛束群（１）で仕上げの掻き出し磨きをかければ、歯間ブラシをかける必要がない程に汚れやカスがきれいに掻き出される。
斯くして、毎朝不快であったあのネバネバ感と口臭が見事に消えて、爽快な一日を始めることができる。最終的に役割を果たし尽くして廃棄する時も、環境破壊の一因になる心配もない。
【符号の説明】
【０００９】１  先端域毛束群
２  後半域毛束群
【図１】
0003227810.tif 000003
【図２】
0003227810.tif 000004
(57)【要約】      （修正有）【課題】ひざの悪い人が、椅子に座って、両足を曲げて、太ももの間に円柱状の空気袋本体をはさみ、ひざを曲げる運動を行うときに、使用できるひざ曲げ運動具を提供する。【解決手段】ひざ曲げ運動具は円柱状の空気袋本体１に、空気孔３を設け、円柱状の空気袋本体１の両側に接続部５、を設け、持手２、を取り付け、両側の持手２、が外れないように、両側の持手止部６、を設け、円柱状の空気袋本体１と、両側の持手２、に網カバー４を被せた。【選択図】図１
0003227897.tif 000002
【実用新案登録請求の範囲】
【請求項１】
円柱状の空気袋本体（１）に、空気孔（３）を設け、円柱状の空気袋本体（１）の両側に接続部（５）、接続部（５）を設け、持手（２）、持手（２）を取り付け、両側の持手（２）、持手（２）が外れないように、両側の持手止部（６）、持手止部（６）を設け、円柱状の空気袋本体（１）と、両側の持手（２）、持手（２）に網カバー（４）を被せたことを特徴とするひざ曲げ運動具。
【考案の詳細な説明】
【技術分野】
【０００１】  本考案は、ひざの悪い人が、椅子に座って、両足を曲げて、太ももの間に円柱状の空気袋本体をはさみ、ひざを曲げる運動を行うときに、使用できるひざ曲げ運動具に関するものである。
【背景技術】
【０００２】  従来、ひざの悪い人は、歩いたり、ひざを曲げると痛みを感じるので、運動として、主に、お風呂に入って温めて曲げる。
本考案を使用する場合は、椅子に座って、両足を曲げて、太ももの間に円柱状の空気袋本体をはさみ、円柱状の空気袋本体を潰すように力を入れては抜く運動をしていた。
なお、椅子を利用する場合は、椅子に座り両足を交互にゆっくり２０ｃｍほど、すりすり前後に動かす運動が知られている。
【考案の概要】
【考案が解決しようとする課題】
【０００３】  ひざの悪い人が、椅子に座ってひざを曲げる運動を行いたいが、適当な運動具も見当たらず、椅子に座ってひざを曲げる運動は不可能だった。
本考案は、以上の問題点を解決するためになされたものである。
【課題を解決するための手段】
【０００４】  円柱状の空気袋本体（１）に、空気孔（３）を設け、円柱状の空気袋本体（１）の両側に接続部（５）、接続部（５）を設け、持手（２）、持手（２）を取り付け、両側の持手（２）、持手（２）が外れないように、両側の持手止部（６）、持手止部（６）を設け、円柱状の空気袋本体（１）と、両側の持手（２）、持手（２）に網カバー（４）を被せる。
以上の構成よりなるひざ曲げ運動具。
【考案の効果】
【０００５】  従来、ひざの悪い人が運動具を利用して、ひざを曲げることは、不可能とされていたが、本考案により可能にし、安全にひざを曲げる運動ができる。
本考案は、ひざの悪い人だけでなく、健常者の人もひざの筋肉を伸ばし、鍛えることにより、ひざ痛の予防に利用でき、効果がある。
【図面の簡単な説明】
【０００６】
【図１】  本考案の斜視図である。
【図２】  本考案の使用状態を示した斜視図である。
【考案を実施するための形態】
【０００７】  以下、本考案の実施の形態について説明する。
（イ）円柱状の空気袋本体（１）に、空気孔（３）を設ける。
（ロ）円柱状の空気袋本体（１）の両側に接続部（５）、接続部（５）を設け、持手（２    ）、持手（２）を取り付ける。
（ハ）両側の持手（２）、持手（２）が外れないように、両側の持手止部（６）、持手止    部（６）を設ける。
（ニ）円柱状の空気袋本体（１）と、両側の持手（２）、持手（２）に網カバー（４）を    被せる。
本考案は以上のような構造である。
本考案を使用するときは、円柱状の空気袋本体（１）の空気孔（３）に空気を入れる。
円柱状の空気袋本体（１）の中心が、たとえば、円柱の本体の直径が約１２ｃｍ〜約１３ｃｍを目安に、使用する人に合わせて膨らませる。
円柱状の本体（１）が準備できると、椅子（７）に座り、左ひざ（８）を上げて円柱状の空気袋本体（１）を置き、円柱状の空気袋本体（１）の両側の持手（２）を両手で握る。
はじめに、円柱状の空気袋本体（１）の上に、左ひざ（８）を乗せた左足（１０）を内側に無理をせず曲げる。
膝蓋靭帯、大腿四頭筋腱、外側内側広筋を伸ばす。
ひざ関節を広げる感じで、そのまま、約５秒間止めて力を抜く。
続いて、約５秒間止めていた左足（１０）を垂直に上げる。
左ひざ（８）の裏側の筋肉、アキレス腱、腓腹筋、ヒラメ筋、大腿二頭筋を伸ばし、約５秒間止めて下げる。
この動作を１回とする。
このくり返し運動を１０回〜１５回程度行う。
１日２回、朝夕に分けて行うと効果が大きい。
右足（１１）も同様に行うと、左ひざ（８）、右ひざ（９）の筋肉、関節を伸ばしながら行う運動である。
ひざに負担をかけず、神経、筋違いの縺れを治しながら鍛えられる利点がある。
２カ月〜３カ月続けていると、ひざの違和感や痛みもなくなる。
運動時間も１回に付き、約４分〜約５分と短く、取り組みやすい運動である。
柔らかい円柱状の空気袋本体（１）は、左ひざ（８）、右ひざ（９）の筋肉、関節を伸ばしながら曲げる役目をし、持手（２）は両手で握ることで安全な運動ができる。
また、空気孔（３）は使用する人に合わせた大きさに空気調整ができる利点がある。
【符号の説明】
【０００８】１  円柱状の空気袋本体
２  持手
３  空気孔
４  網カバー
５  接続部
６  持手止部
７  椅子
８  左ひざ
９  右ひざ
１０  左足
１１  右足
【図１】
0003227897.tif 000003
【図２】
0003227897.tif 000004
(57)【要約】      （修正有）【課題】目線のいろいろな角度からでも温度表示が明確に拡大表示可能にした温度計を提供する。【解決手段】下部に熱的に変化する水銀又は着色灯油を収容する溜め部１０１を形成し、溜め部に下部を連通した毛細孔１０２を中央部に形成し横断面形状が楕円形又は三角形の棒状ガラス管１０３を配設して室温、外気温などの寒さ・暖かさを測定し温度目盛り表示する温度計において、棒状ガラス管の背部周面に銀紙又はアルミホイール又は銀・ニッケル・クロム鍍金又は各種メタル塗料などの反射材１０５を配設した。【選択図】図１
0003227896.tif 000002
【実用新案登録請求の範囲】
【請求項１】
下部に熱的に変化する水銀又は着色灯油を収容する溜め部を形成し、この溜め部に下部を連通した毛細孔を中央部に形成し横断面形状が楕円形又は三角形の棒状ガラス管を配設して室温、外気温などの寒さ・暖かさを測定し温度目盛り表示する温度計において、前記棒状ガラス管の背部周面に反射材を配設したことを特徴とする温度計。
【考案の詳細な説明】
【技術分野】
【０００１】  本考案は、毛細管による温度表示が多方角からの目線からも見易い温度計に関する。
【背景技術】
【０００２】＜従来の技術＞
温度計（おんどけい）は一般に室温、外気温などの寒さ・暖かさを測定する計器である。温度変化に伴う物性（機械的性質（力学的性質）、熱的性質、電気的性質、磁気的性質、光学的性質の変化等の物理現象）を利用して温度を測定する。温度変化によって起こるさまざまな物理現象を利用して温度を知る装置を温度計といい、寒暖計とも呼びます。
温度計には一般に水銀温度計（水銀の融点がマイナス３８．８７℃であるため、これ以下では使えない）や、液体温度計（灯油を赤く染めて封入した温度計）である。このほかにバイメタルの伸び・縮みを利用して指針で温度を示すもの、また室内インテリアとして液晶温度計、サーモカラー温度計などがある。【０００３】  水銀温度計や液体温度計は、一般に図２の（１）と（２）に示すように、下部に熱的に変化する水銀又は着色灯油を収容する溜め球１０１を形成し、この溜め部１０１に下部を連通した毛細孔１０２を中央部に形成し横断面形状が楕円形又は三角形の棒状ガラス１０３を温度目盛り板１０４に配設してなる。
前記棒状ガラス１０３の横断面形状は、概ね三角形又は楕円形にしてその前面を半球面のレンズ１０３ａにし、棒状ガラス１０３内の毛細孔１０２にある水銀又は着色灯油部を拡張して真正面に表示するものであるため真正面以外からの目線では細すぎて極めて見にくい。
【考案の開示】
【考案が解決しようとする課題】
【０００４】  本考案は、いろいろな角度からでも温度が明確に表示可能にした温度計を提供する。
【課題を解決するための手段】
【０００５】  本考案は、前記した課題に適応する優れた温度計ありその技術的特徴は、「下部に熱的に変化する水銀又は着色灯油を収容する溜め部を形成し、この溜め球に下部を連通した毛細孔を中央部に形成し横断面形状が楕円形又は三角形の棒状ガラス管を配設して室温、外気温などの寒さ・暖かさを測定し温度目盛り表示する温度計において、前記棒状ガラス管の背部周面に銀紙又はアルミホイール又は銀・ニッケル・クロム鍍金又は各種メタル塗料等の反射材を配設したことを特徴とする温度計。」である。
【考案の効果】
【０００６】  本考案の温度計は、前記構成における銀紙又はアルミホイールの反射板からの乱反射により毛細管による温度表示が幅広く変化して多方角からの目線からでも大変見易い便利な温度計である。
【図面の簡単な説明】
【０００７】
【図１】本考案の実施例の正面説明図（１）であり、（２）は（１）の矢視Ａ−Ａからの横断面図である。
【図２】従来例の正面説明図（１）であり、（２）は（１）の矢視Ｂ−Ｂからの横断面図である。
【考案を実施するための態様】
【０００８】  本考案を実施するための実施例を図１〜図２により詳細に説明する。
【実施例】  本例の温度計１００は、図１（１）と（２）に示すように、下部に熱的に変化する水銀又は着色灯油を収容する溜め球１０１を形成し、この溜め球１０１に下部を連通した毛細孔１０２を中央部に形成し横断面形状が楕円形又は三角形状の棒状ガラス管１０３を温度目盛り板１０４に配設してなり、前記棒状ガラス管１０３の背部周面に銀紙又はアルミホイール又は銀・ニッケル・クロム鍍金又は各種メタル塗料などの反射材１０５を配設した温度計である。
前記棒状ガラス管１０３の横断面形状は、概ね三角形又は楕円形にしてその前面を半球面のレンズ部１０３ａになっている。
反射材１０５が無い場合は、図２（１）と（２）に示す従来例ように棒状ガラス管１０３内の毛細孔１０２にある水銀又は着色灯油部を拡張して真正面に細く表示するのみで真正面以外からの目線では細すぎて極めて見にくい。
しかし、図１（１）に示すように前記反射材１０５を配設した範囲Ｙ−Ｙでは、反射材１０５は、棒状ガラス管１０３の横断面の背面周囲からの入射光を反射してレンズ部１０３ａを含む前周面から外部に照射するためか、毛細管１０２による温度表示が幅広く変化して多方角からの目線からでも幅広く大変見易い状態になったのである  。
【産業上の利用可能性】
【０００９】  本考案は前記の優れた作用効果を有する利便性に優れた温度計であり、一般家庭は勿論、各種の温度測定事務などに貢献すること多大なものである。
【符号の説明】
【００１０】  １００：本例の温度計
１０１：溜め球
１０２：毛細孔
１０３：棒状ガラス管
１０３ａ：レンズ部
１０４：温度目盛り板
１０５：反射材
【図１】
0003227896.tif 000003
【図２】
0003227896.tif 000004
(57)【要約】      （修正有）【課題】水の交換操作が容易で、構造設計がより合理的で実用性がより高いペット飲用器具を提供する。【解決手段】ペット飲用器具は、貯水タンク、飲用トレイ１、フィルター４、フィルタートレイ、給水ポンプ３、ポンプ給水管２、および回路制御装置を含み、給水ポンプの水出口がポンプ給水管の水入口に直接接続され、給水ポンプがポンプ給水管の真下に位置し、フィルタートレイが飲用トレイの下であって、水出口の真下に配置され、飲用トレイとフィルタートレイが室構造を形成する。貯水タンクの空間を大幅に節約でき、製品の生産組立過程がより効果的になり、一体的な設計により、水の濾過がより効果的になり、水の交換がより容易になる。【選択図】図２
0003227833.tif 000002
【実用新案登録請求の範囲】
【請求項１】
貯水タンク、飲用トレイ、フィルター、フィルタートレイ、給水ポンプ、ポンプ給水管、および回路制御装置を含むペット飲用器具であって、
前記飲用トレイの上面は凹状であり、飲用トレイ上に入水口が設けられ、飲用トレイの上面の窪んでいない部分に水出口が設けられ、
前記フィルタートレイが、飲用トレイの下であって水出口の真下に設けられ、飲用トレイとフィルタートレイが室構造を形成し、且つ、フィルターが飲用トレイとフィルタートレイで形成された室内に設けられ、フィルタートレイ上に出水孔が設けられ、
前記ポンプ給水管の下端口が貯水タンクの内底部に位置し、ポンプ給水管の上端口に飲用トレイの入水口が封止可能に接続され、
前記給水ポンプの水出口が前記ポンプ給水管の水入口に直接接続され、且つ、給水ポンプがポンプ給水管の真下に位置し、
前記回路制御装置は貯水タンクの外底部に設けられることを特徴とするペット飲用器具。
【請求項２】
飲用トレイの上面の窪んでいない部分に設けられた出水孔がすべて飲用トレイの縁部に位置することを特徴とする請求項１に記載のペット飲用器具。
【考案の詳細な説明】
【技術分野】
【０００１】
本考案は、ペット用装置の技術分野に属し、具体的には、ペット飲用器具に関する。
【背景技術】
【０００２】
中国の人々の生活水準の継続的な改善に伴い、ますます多くの人々がペットを飼うようになり、ペットを飼うことは流行になった。従来のペット飲用器具は通常、皿やボウルなどの容器であるが、皿やボウルなどの容器がペットに転覆されることがある。また、皿やボウルなどの容器を長期間使用すると、長期間の水との接触によりペットの口の毛も黄色くなり、特に白髪のペットに顕著である。ほとんどの既存のペット飲用器具には水濾過装置がなく、汚れた水を飲むペットが病気になりやすい。少数のペット飲用器具は、水濾過装置を備えているが、水濾過装置が一体的に形成されるので、ペット飲用器具は、複雑な構造を有し、水を加えるときに操作が面倒である。
【考案の概要】
【考案が解決しようとする課題】
【０００３】
本考案の目的は、未だ市場に出回っていないペット飲用器具を提供することであり、該ペット飲用器具は水の交換操作が容易であり、構造設計がより合理的であり、実用性がより高い。
【課題を解決するための手段】
【０００４】
上記の目的を達成するために、本考案は、以下の技術的解決策を採用する。
【０００５】
ペット飲用器具は、貯水タンク、飲用トレイ、フィルター、フィルタートレイ、給水ポンプ、ポンプ給水管、および回路制御装置を含む。
【０００６】
前記飲用トレイの上面は凹状であり、飲用トレイ上に入水口が設けられ、飲用トレイの上面の窪んでいない部分に水出口が設けられる。
【０００７】
前記フィルタートレイが飲用トレイの下であって、水出口の真下に位置し、飲用トレイとフィルタートレイが室構造を形成し、且つ、フィルターが飲用トレイとフィルタートレイで形成された室内に位置し、フィルタートレイ上に出水孔が設けられる。
【０００８】
前記ポンプ給水管の下端口が貯水タンクの内底部に位置し、ポンプ給水管の上端口が飲用トレイの入水口に封止可能に接続される。
【０００９】
前記給水ポンプの水出口が前記ポンプ給水管の水入口に直接接続され、給水ポンプがポンプ給水管の真下に位置する。
【００１０】
前記回路制御装置は貯水タンクの外底部に設けられる。
【００１１】
好ましくは、飲用トレイの上面の窪んでいない部分に設けられた出水孔がすべて飲用トレイの縁部に位置する。
【００１２】
従来技術と比較すると、本考案は以下の有益な効果を有する。
【００１３】
１、前記フィルタートレイが飲用トレイの下方に設けられ、かつ水出口の真下に位置し、飲用トレイとフィルタートレイが室構造を形成し、且つ、フィルターが飲用トレイとフィルタートレイで形成された室内に設けられ、フィルタートレイ上に出水孔が設けられ、この一体的な設計により、水濾過がより効果的になり、水が交換されるたびに、より容易に操作できる。
【００１４】
２、前記給水ポンプの水出口が前記ポンプ給水管の水入口に直接接続され、且つ、給水ポンプがポンプ給水管の真下に位置し、このような設計により、貯水タンクの空間を大幅に節約でき、製品の生産組立過程がより効果的になる。
【図面の簡単な説明】
【００１５】
【図１】本考案の斜視概略図である。
【図２】本考案の断面構造概略図である。
【考案を実施するための形態】
【００１６】
＜実施例＞
ペット飲用器具は、貯水タンク、飲用トレイ、フィルター、フィルタートレイ、給水ポンプ、ポンプ給水管、および回路制御装置を含み、前記飲用トレイの上面は凹状であり、飲用トレイ上に入水口が設けられ、飲用トレイの上面の窪んでいない部分に水出口が設けられ、前記フィルタートレイが飲用トレイの下であって、水出口の真下に設けられ、飲用トレイとフィルタートレイが室構造を形成し、且つ、フィルターが飲用トレイとフィルタートレイで形成された室内に設けられ、フィルタートレイ上に出水孔が設けられ、前記ポンプ給水管の下端口が貯水タンクの内底部に位置し、ポンプ給水管の上端口が飲用トレイの入水口に封止可能に接続され、前記給水ポンプの水出口が前記ポンプ給水管の水入口に直接接続され、且つ、給水ポンプがポンプ給水管の真下に位置する。
【００１７】
前記回路制御装置は貯水タンクの外底部に設けられる。
【００１８】
好ましくは、飲用トレイの上面の窪んでいない部分に設けられた出水孔がすべて飲用トレイの縁部に位置する。
【００１９】
回路制御装置は、給水ポンプのオン・オフを制御するために用いられ、それは周知の技術であるので詳細な説明を省略する。
【００２０】
動作の原理は以下の通りである。給水ポンプは、貯水タンクの内底部の水を、ポンプ給水管を介して飲用トレイ内に転送し、飲用トレイのくぼみに転送される水が増えると、飲用トレイ内の水はゆっくり窪んでいない部分に設けられた水出口から飲用トレイとフィルタートレイで構成された室内に流れ込み、室内にフィルターが設けられているので、下向きに流れる水がフィルターで濾過され、フィルターで濾過された水がフィルタートレイの出水孔から貯水タンクの底部に流れ込み、このようにして、１つの循環を形成し、該循環により飲用トレイ内の水が常に流動状態になる。
【符号の説明】
【００２１】
１  飲用トレイ
２  ポンプ給水管
３  給水ポンプ
４  フィルター
【図１】
0003227833.tif 000003
【図２】
0003227833.tif 000004
(57)【要約】      （修正有）【課題】くくり罠の締め付けループ状ワイヤーを掛けるワイヤーガイドバーの形状に関して、捕獲効率を上げることができる枡形踏板罠を提供する。【解決手段】コの字形の一対のワイヤーガイドバー２をワイヤーガイドバー固定台３に連結孔で結合し、回動可能にして、一対のワイヤーガイドバー２を水平方向にセットすると、一対のワイヤーガイドバー２によって、四角い枡形を形成するように、枡形のワイヤーガイドバー２の四隅に、ワイヤー７保持用のワイヤーガイドピン５を備える。【選択図】図２
0003227838.tif 000002
【実用新案登録請求の範囲】
【請求項１】
コの字形の一対のワイヤーガイドバー（２）をワイヤーガイドバー固定台（３）に
連結孔で結合し、回動可能にして、一対のワイヤーガイドバー（２）を
水平方向にセットすると、一対のワイヤーガイドバー（２）によって、
四角い枡形を形成する構造に、枡形のワイヤーガイドバー（２）の四隅に、
ワイヤー（７）保持用のワイヤーガイドピン（５）を備える
ことを特徴とする、枡形踏板罠。
【考案の詳細な説明】
【技術分野】
【０００１】
本考案は、くくり罠のワイヤーを掛けるワイヤーガイドバーの
形状に関するものである。
【背景技術】
【０００２】
従来のくくり罠のワイヤー掛け部は特許文献１（特許６６３１９１４）
のように、丸形か楕円形である。
ワイヤー掛け部に掛けた捕獲ワイヤーも当然同じ形状になる。
セットした捕獲ワイヤーは、ループを縮小する方向に
付勢スプリングによって、引っ張られている。
引っ張られているワイヤーはループの締め付け部で屈曲する。
罠が作動し,縮小した時に、この屈曲部により抵抗を生じ、
捕獲ワイヤーの縮小が遅くなる。
【先行技術文献】
【特許文献】
【０００３】
【特許文献１】特許６６３１９１４
【考案の概要】
【考案が解決しようとする課題】
【０００４】
従来のワイヤー掛けは丸型や楕円形のループになっている。
ループの付け根の絞り込み部のワイヤーが、罠のセット時に屈曲する。
罠が作動すると、この屈曲部により
抵抗を生じ、ワイヤーのループ縮小の速さが遅くなる。
本考案は、この問題点を解決するために考案されたものである。
【課題を解決するための手段】
【０００５】
ワイヤーガイドバーは図２の平面図のように、
コの字に曲げた一対のワイヤーガイドバーを,
ワイヤーガイドバー固定台に対向に取付け、
枡形の四角にする。パイプガードからのワイヤーが
対向のワイヤーガイドバーの角まで真っすぐに出たあと、
ワイヤーガイドバーに沿って、四角いループを形成する。
この四角いループにより、付け根のワイヤーの屈曲を
なくした構造を有している。
以上の構成よりなる枡形踏板罠。
【考案の効果】
【０００６】
本考案は、従来のループ付け根に屈曲のある罠が
作動したとき、屈曲による抵抗によって、収縮が遅くなるのに比べて、
罠が作動したとき、ワイヤーが真っすぐなので、スムースに収縮する。
罠が素早く弾き、空はじきの防止に効果がある。
【図面の簡単な説明】
【０００７】
【図１】本考案の枡形踏板罠の斜視図
【図２】本考案の枡形踏板罠の平面図
【図３】本考案の枡形踏板罠のワイヤーをセットしたときと、作動時の側面図
【考案を実施するための形態】
【０００８】
本考案の実施の形態を説明する。
ワイヤーガイドバー（２）は、コの字形をした１対になっており
端10ｍｍ位に連結用の穴がある。
図２の平面図のような配置で、ワイヤーガイドバー固定台（３）に、
対向に取付けて、連結孔で結合し回動可能にする。
結合した一対のワイヤーガイドバー（２）により、
枡形の四角を形成した特徴を有している。
ワイヤーガイドバー（２）で構成された枡形の角に、ワイヤー（７）保持用の
ワイヤーガイドピン（５）を設ける。
ワイヤーアダプター（４）をワイヤー（７）がワイヤーガイドバー（２）に
引っかからないように取り付ける。
本考案は以上の構成よりなる。
【実施例】
【０００９】
本考案を使用する場合は、
パイプガード（６）から出ているワイヤー（７）を、図１の枡型に形成している
ワイヤーガイドバー（２）の角の位置に掛け、ワイヤーガイドピン（５）に挟んで
外れないようにして、順番にワイヤーガイドバー（２）に沿って四角いループ状に
ワイヤー（７）を掛ける。パイプガード（６）のロックを解除してセットする。
これでパイプガード（６）から出たワイヤー（７）は、対面の
ワイヤーガイドバー（２）の角までまっすぐになり、屈曲しない。
罠が弾いてワイヤーガイドバー（２）が跳ね上がったとき、
スムースにワイヤー（７）の四角いループが収縮する。
パイプガード（６）の位置は枡形のそれぞれの角に、縦向き横向きと
罠の設置場所の状況に応じてセットする。
【産業上の利用可能性】
【００１０】
本考案罠は有害獣の捕獲効率が良くなるので
積極的に使用することができる。
【符号の説明】
【００１１】
１  踏板
２  ワイヤーガイドバー
３  ワイヤーガイドバー固定台
４  ワイヤーガイドアダプター
５  ワイヤーガイドピン
６  パイプガード
７  ワイヤー
【図１】
0003227838.tif 000003
【図２】
0003227838.tif 000004
【図３】
0003227838.tif 000005
(57)【要約】      （修正有）【課題】車の運転者に、自転車の走行を容易に認識させることができる方向指示器を提供する。【解決手段】自転車のハンドル１本体に設けられた、バックミラ―２と一体型の方向指示器３を有し、両手グリップに方向指示器のライトを点灯させるボタンスイッチ４を設け、ボタンスイッチ４を押して進行方向を示すように構成する。【選択図】図１
0003227817.tif 000002
【実用新案登録請求の範囲】
【請求項１】
自転車用バックミラーと一体型の方向指示器を備え、両手グリップに、方向指示器のライトを点灯させるためのボタンスイッチを備え、ボタンスイッチを押すことにより、進行方向を示すことを特徴とする、
自転車用のバックミラー付き方向指示器。
【請求項２】
請求項１に記載の方向指示器であって、
方向指示器の上部にミラーを有し、自転車のハンドル本体に設けられ、
かつ、リアキャリア（荷台）の左右にライトを点灯させる機能を有することを特徴とする、自転車用の方向指示器。
【考案の詳細な説明】
【技術分野】
【０００１】  本考案は、自転車用バックミラー付き方向指示器に関するものである。
【背景技術】
【０００２】  現在、一般の自転車は、バックミラーと方向指示器がないため、走行中、後方確認をするには、自転車に乗ったまま振り返っていた。また、進行方向を変えるには、水平に手を上げて曲がる方向の指示を出していた。【０００３】  特許文献１では、自転車にバックミラーと方向指示器が取り付けられているものがある。また、特許文献２では、自転車に撮影装置を装着し、走行中にモニター画像を見ながら後方確認できるものもある。
【先行技術文献】
【特許文献】
【０００４】
【特許文献１】公開実用新案昭５６−０３１９８８号
【特許文献２】特開２０１４−０８３９６３号
【考案の概要】
【考案が解決しようとする課題】
【０００５】  しかしながら、特許文献１に開示された自転車は、バックミラーと方向指示器が一体化されておらず、ミラーが大きいため、走行中に前方が見えにくいという問題があった。また、特許文献２に開示された自転車は、走行中にモニター画面を見ながら走行しなければならないため、高齢者は、自転車の運転に集中できないという問題があった。【０００６】そこで、本考案は、進行方向を示すライトを点灯させ、安全に、自転車を走行することができる自転車用のバックミラー付き方向指示器を提供することを目的としている。
【課題を解決するための手段】
【０００７】本考案の第１の側面に係る方向指示器は、自転車のハンドル本体に、バックミラーと一体型となっており、両手グリップに、方向指示器にライトを点灯させるためのボタンスイッチを設け、該ボタンスイッチを押すことにより、進行方向を示すことを特徴とする。【０００８】前記構成により、ミラーと方向指示器が一体型となっているため、ミラーで後方確認しながら、進行方向を示すライトを点灯させることができるため、運転者の安全走行に対する意識を高めることができる。【０００９】本考案の第２の側面に係る方向指示器は、方向指示器の上部にミラーを有し、自転車のハンドル本体に設けられ、かつ、リアキャリア（荷台）の左右にライトを点灯させる機能を有することを特徴とする。
前記構成により、リアキャリア（荷台）に設けられたライトを点灯させることにより、後方からの車に対して、進行方向を示すことができるため、安全に自転車を運転することができる。
【考案の効果】
【００１０】本考案によれば、進行方向を示すライトを点灯させるためのボタンを、指で押すだけでよい。手を上げる必要がないため、片手運転をしなくてもよい。したがって、自転車を安全に運転することができる。
【図面の簡単な説明】
【００１１】
【図１】本考案のバックミラー付き方向指示器の正面図である。
【図２】本考案のグリップに備えられた方向指示器の図である。
【図３】本考案のバックミラーと方向指示器の構造図である。
【図４】本考案のバックミラー付き方向指示器の背面図である。
【考案を実施するための形態】
【００１２】本考案に係る方向指示器は、図１と図２に示すように、右手グリップに取り付けた３段ギア付近に、方向指示器用ボタンスイッチ４を固定具とボルトで固着している。右手グリップから前方に３〜５ｃｍ程度の位置にバックミラー２と一体型の方向指示器３が留め具で取り付けられている。左手グリップのベル付近に、方向指示器用ボタンスイッチ４を固定具とボルトで固着している。左手グリップから前方に３〜５ｃｍ程度の位置にバックミラー２と一体型の方向指示器が留め具で取り付けられている。ハンドル中央の支持部には、左右の線を合流する押しボタン５が取り付けられている。
【００１３】バックミラー２と一体型の方向指示器３は、図３に示すように、バックミラー２の下面に電池を電源としたＬＥＤ照明の方向指示器３を有している。
【００１４】方向指示器３は、図４に示すように、リアキャリア（荷台）の左右に取り付けられ、グリップのボタンスイッチ４を押すことにより、ハンドル及びリアキャリア（荷台）の方向指示器３にライトを点灯させることを特徴とする。
【産業上の利用可能性】本考案に係るバックミラー付き方向指示器は、一般の自転車、好ましくは、リアキャリア（荷台）付きの自転車に使用することができる。
【符号の説明】
【００１５】１  自転車用ハンドル
２  バックミラー
３  方向指示器
４  方向指示器用ボタンスイッチ
５  左右の合流押しボタン
【図１】
0003227817.tif 000003
【図２】
0003227817.tif 000004
【図３】
0003227817.tif 000005
【図４】
0003227817.tif 000006